(57)【要約】【課題】鉄道車両の車軸軸受部に用いられる密封装置であって、軸受の外輪に取り付けられる外環と、外環の内周側に嵌合される内環とを有する密封装置において、組立て後、外環に対し内環が軸方向に位置ずれするのを抑制することができ、しかも内環の嵌合力を強く設定する必要もない密封装置を提供する。【解決手段】外環の内周面に、肉寄せ突起よりなる両環位置決め構造を設けたことを特徴とする。肉寄せ突起はこれを円周上複数個所に設けても良い。【選択図】図１
2017044303.tif 000002
【特許請求の範囲】
【請求項１】
鉄道車両の車軸軸受部に用いられる密封装置であって、軸受の外輪に取り付けられる外環と、前記外環の内周側に嵌合される内環とを有する密封装置において、
前記外環の内周面に、肉寄せ突起よりなる両環位置決め構造を設けたことを特徴とする密封装置。
【請求項２】
請求項１記載の密封装置において、
前記肉寄せ突起を、円周上複数個所に設けたことを特徴とする密封装置。
【発明の詳細な説明】
【技術分野】
【０００１】
本発明は、シール技術に係る密封装置に関し、更に詳しくは、鉄道車両の車軸軸受部に用いられる密封装置に関する。
【背景技術】
【０００２】
鉄道車両の車軸軸受部に用いられる密封装置として従来から図４に示すように、軸受６１の外輪６２に取り付けられる外環５２と、外環５２の内周側に嵌合される内環５３とを有する密封装置５１が知られている。内環５３は、回転側部品６３との間に微小間隙ｃを形成して非接触式のラビリンスシールを構成し、これにより軸受外部Ｏの異物が軸受内部Ｉへ侵入したり軸受内部Ｉのグリースが軸受外部Ｏへ飛散したりするのを抑制する。
【先行技術文献】
【特許文献】
【０００３】
【特許文献１】特開２００５−２２０９４０号公報
【特許文献２】特開２０１１−２５６９６５号公報
【発明の概要】
【発明が解決しようとする課題】
【０００４】
上記外環５２および内環５３は別部材であるため、外環５２に内環５３を嵌合する組立て作業が必要となる。よって最適なシール機能を発揮させるべく組立てに際しては、内環５３を規定の位置（設定どおりの正確な軸方向位置）に挿入する必要があり、また組立て後、外環５２に対し内環５３が軸方向に位置ずれしないようにする必要がある。
【０００５】
組立て後、外環５２に対し内環５３が軸方向に位置ずれしないようにするには、内環５３の嵌合力を強く設定することが考えられる。しかしながらこのように内環５３の嵌合力を強く設定すると、挿入時の抵抗力が増大するため、組立て作業性が悪化することが懸念される。
【０００６】
本発明は以上の点に鑑みて、組立て後、外環に対し内環が軸方向に位置ずれするのを抑制することができ、しかも内環の嵌合力を強く設定する必要もない密封装置を提供することを目的とする。
【課題を解決するための手段】
【０００７】
本発明は上記目的を達成するため、以下の手段を採用した。
すなわち本発明の密封装置は、鉄道車両の車軸軸受部に用いられる密封装置であって、軸受の外輪に取り付けられる外環と、前記外環の内周側に嵌合される内環とを有する密封装置において、前記外環の内周面に、肉寄せ突起よりなる両環位置決め構造を設けたことを特徴とする（請求項１）。
【０００８】
上記構成を備える本発明の密封装置においては、外環の内周面に、肉寄せ突起よりなる両環位置決め構造が設けられているため、内環が肉寄せ突起に係合することで、内環が軸方向に位置ずれするのを抑制することが可能とされる。また、内環が肉寄せ突起に係合することで内環の位置ずれを抑制するため、内環の嵌合力を強く設定する必要がない。肉寄せ突起は、外環の内周側に内環を挿入した後、外環の一部内周部を軸方向に肉寄せすることにより形成される。
【０００９】
また、この肉寄せ突起としては、外環の全周に亙って環状に設けても良いが、円周上複数個所に設けることにより円周上一部のみに設けた場合でも、その機能（位置ずれ抑制機能）を発揮することができる。
【発明の効果】
【００１０】
本発明によれば、組立て後、外環に対し内環が軸方向に位置ずれするのを抑制することができ、しかも内環の嵌合力を強く設定する必要もない密封装置を提供することができる。
【図面の簡単な説明】
【００１１】
【図１】本発明の実施例に係る密封装置の要部断面図
【図２】同密封装置における肉寄せ加工の説明図
【図３】本発明の他の実施例に係る密封装置の要部断面図
【図４】従来例に係る密封装置の断面図
【発明を実施するための形態】
【００１２】
つぎに本発明の実施例を図面にしたがって説明する。
【００１３】
図１に示すように、当該実施例に係る密封装置１１は、鉄道車両の車軸軸受部に用いられる密封装置であって、軸受の外輪６２に取り付けられる外環２１と、外環２１の内周側に嵌合される内環３１とを有している。
【００１４】
外環２１は、軸受の外輪６２の内周面に嵌合される外周筒部２２を有し、この外周筒部２２の軸方向一方（軸受外部側、図では左方）の端部から径方向内方へ向けて端面部２３が一体成形され、端面部２３の内周端部から軸方向一方へ向けて筒状部２４が一体成形され、筒状部２４の軸方向一方の端部から軸方向一方かつ内径方向へ向けて円錐面状の段差部２５が一体成形され、段差部２５の軸方向一方の端部（小径側の端部）から軸方向一方へ向けて内周筒部２６が一体成形され、内周筒部２６の軸方向一方の端部から径方向内方へ向けて折り曲げ部２７が一体成形されている。
【００１５】
一方、内環３１は、外環２１の筒状部２４の内周面に嵌合される外周筒部３２を有し、この外周筒部３２の軸方向一方の端部から径方向内方へ向けて端面部３３が一体成形され、端面部３３の内周端部から軸方向他方（軸受内部側、図では右方）へ向けて内周筒部３４が一体成形されている。内環３１は、回転側部品（図示せず）との間に微小間隙を形成して非接触式のラビリンスシールを構成し、これにより軸受外部の異物が軸受内部へ侵入したり軸受内部のグリースが軸受外部へ飛散したりするのを抑制する。
【００１６】
外環２１および内環３１はともに金属環である。また、外環２１および内環３１は互いに別部材であるため、外環２１の内周側に内環３１を嵌合する組立て作業を行うことになる。したがって組立てに際しては、内環３１を規定の位置（設定どおりの正確な軸方向位置）に挿入する必要がある。また挿入後、外環２１に対し内環３１が軸方向に位置ずれするのは、上記微小間隙の大きさが変わってしまうこともあり、好ましくない。そこで当該実施例では、挿入後、外環２１に対し内環３１が軸方向に位置ずれするのを防止するための両環位置決め構造４１が設けられている。
【００１７】
両環位置決め構造４１は、外環２１の内周側に内環３１を挿入した後、外環２１の一部内周部を軸方向に肉寄せして肉寄せ突起２８を形成することにより構成されており、一層詳細には、外環２１の内周面における規定位置に内環３１を挿入した後（挿入方向を矢印Ｓにて示す）、図２（Ａ）から（Ｂ）へと示すように、外環２１の筒状部２４の一部内周部（厚みのうちの内周側の一部）であって上記規定位置の軸方向他方に隣接する部位（軸受内部側の部位）を軸方向他方から軸方向一方へ向け肉寄せ加工して（肉寄せ方向を矢印Ｎにて示す）、肉寄せ突起２８を形成することにより構成されている。
【００１８】
肉寄せ加工は、肉寄せ治具４２を用いて行い、肉寄せ治具４２を強圧で軸方向に移動させて筒状部２４の一部内周部を削ぐようにして肉寄せする。肉寄せ突起２８は内環３１の外周筒部３２の軸方向他方の端面に接触した状態で形成され、この端面は軸直角平面状の端面であるので、この端面が肉寄せ突起２８に対しほぼ隙間なく係合する。肉寄せ突起２８は円周上複数個所に形成され、例えば４〜８等配で形成される（図では１箇所のみを示している）。
【００１９】
上記構成の密封装置１１においては、上記したように両環位置決め構造４１が設けられているため、内環３１が肉寄せ突起２８に係合することで、外環２１に対し内環３１が軸方向他方へ向けて位置ずれすることがない。したがって、鉄道車両の走行に伴う振動などが入力しても内環３１が外環２１に対し軸方向に位置ずれすることがなく、よって前記微小間隙の大きさが変わってしまうことがない。
【００２０】
また、内環３１が肉寄せ突起２８に係合することで内環３１が外環２１に対し軸方向に位置ずれするのを抑制するために、内環３１の嵌合力を強く設定する必要がない。したがって、挿入時の抵抗力が増大して組立て作業性が悪化するのを未然に防止することができる。
【００２１】
尚、上記実施例のように外環２１の内周面に肉寄せ突起２８よりなる両環位置決め構造４１を設けると、これにより外環２１に対し内環３１が軸方向他方（軸受内部側、図では右方）へ向けて位置ずれするのを抑制することができるが、軸方向反対向きの、軸方向一方（軸受外部側、図では左方）へ向けての位置ずれを抑制するには、外環２１に設けた段差部２５を利用することが考えられる。
【００２２】
この場合の例として、図３に示す他の実施例では、外環２１の段差部２５を内環３１の近傍に位置させる構成とされている。
【００２３】
ここに「近傍に位置させる」とは、段差部２５を内環３１に接触させる態様を含み、また、図示するように段差部２５および内環３１間に軸方向の微小スキマｃ１を設定する態様を含む。後者の、段差部２５および内環３１間に軸方向の微小スキマｃ１を設定する態様の場合には、両者２５，３１が接近配置されながらも非接触とされるため、組み立て（嵌合）に際し接触による変形を抑制することができる利点がある。
【符号の説明】
【００２４】
１１  密封装置
２１  外環
２２，３２  外周筒部
２３，３３  端面部
２４  筒状部
２５  段差部
２６，３４  内周筒部
２７  折り曲げ部
２８  肉寄せ突起
３１  内環
４１  両環位置決め構造
４２  肉寄せ治具
６２  軸受外輪
【図１】
2017044303.tif 000003
【図２】
2017044303.tif 000004
【図３】
2017044303.tif 000005
【図４】
2017044303.tif 000006